(57)【要約】      （修正有）【課題】シールドの取り付けを円滑に行うことができるフレーム、及び該フレーム及びシールドを備える顔面保護具を提供する。【解決手段】フレーム１０は、顔の前側に配置されるシールドが脱着されるフレーム１０であって、第１方向に延びる第１フレーム部１１と、第１フレーム部１１の端部に連結し、第１方向に交差する第２方向に延びる第２フレーム部１３、１５と、第１方向にて、第２フレーム部１３、１５における第１フレーム部１１の反対側に設けられ、シールドを保持するクリップ部１２、１４とを備える。好ましくは、クリップ部１２、１４は、第２フレーム部１３、１５に対して接近するか又は離れる方向に弾性変形可能に構成されている。【選択図】図２
0003231303.tif 000002
【実用新案登録請求の範囲】
【請求項１】
第１方向に延びる第１フレーム部と、
該第１フレーム部の端部に連結し、前記第１方向に交差する第２方向に延びる第２フレーム部と、
前記第１方向にて、前記第２フレーム部における前記第１フレーム部の反対側に設けられ、シールドを保持するクリップ部と
を備えるフレーム。
【請求項２】
前記クリップ部は、前記第２フレーム部に対して接近するか又は離れる方向に弾性変形可能に構成されている
請求項１に記載のフレーム。
【請求項３】
前記クリップ部は、前記第２フレーム部に対向配置され、前記第２フレーム部に向けて突出した爪を有する
請求項１又は２に記載のフレーム。
【請求項４】
前記爪は、前記第２方向にて、前記第１フレーム部に近づくに従って、前記第２フレーム部から離れるように傾斜した面を有する
請求項３に記載のフレーム。
【請求項５】
前記クリップ部及び第１フレーム部は一体成形されている
請求項１から４のいずれか一つに記載のフレーム。
【請求項６】
前記第１フレーム部及び第２フレーム部は別体であり、
前記第１フレーム部及び第２フレーム部は互いに着脱可能に構成されている
請求項１から５のいずれか一つに記載のフレーム。
【請求項７】
前記第２フレーム部は、前記第１方向及び第２方向に交差する第３方向に平行な軸回りに回転可能に、前記第１フレーム部の端部に連結している
請求項１から６のいずれか一つに記載のフレーム。
【請求項８】
請求項１から７のいずれか一つに記載のフレームと、
該フレームに取り付けられるシールドと
を備える顔面保護具。
【考案の詳細な説明】
【技術分野】
【０００１】
本考案は、顔の前側に配置されるシールドが脱着されるフレーム、及び該フレームとシールドとを備える顔面保護具に関する。
【背景技術】
【０００２】
フレーム及びシールドを備える顔面保護具が提案されている。シールドはフレームに取り付けられ、ユーザの顔の前に配置される。シールドの左右縁には、コの字形の切欠が形成され、該切欠をフレームのクリップ部分に挿入して、シールドはフレームに取り付けられる。切欠を設けることによって、シールドのより内側部分をクリップは保持することができる（特許文献１参照）。
【先行技術文献】
【特許文献】
【０００３】
【特許文献１】特開２０１８−１５８１１９号公報
【考案の概要】
【考案が解決しようとする課題】
【０００４】
良好な衛生状態を保つべく、シールドは適宜交換される。そのため、シールドのフレームへの取り付け易さは重要である。
【０００５】
本開示は、斯かる事情に鑑みてなされたものであり、シールドの取り付けを円滑に行うことができるフレーム、及び該フレーム及びシールドを備える顔面保護具を提供することを目的とする。
【課題を解決するための手段】
【０００６】
本開示の一実施例に係るフレームは、第１方向に延びる第１フレーム部と、該第１フレーム部の端部に連結し、前記第１方向に交差する第２方向に延びる第２フレーム部と、前記第１方向にて、前記第２フレーム部における前記第１フレーム部の反対側に設けられ、シールドを保持するクリップ部とを備える。
【０００７】
本開示の一実施例に係る顔面保護具は、上述したフレームと、該フレームに取り付けられるシールドとを備える。
【考案の効果】
【０００８】
本開示に係るフレーム及び顔面保護具にあっては、第２フレームにおける第１フレームの反対側にクリップを設けることによって、シールドの取り付けを円滑に行うことができる。
【図面の簡単な説明】
【０００９】
【図１】実施の形態１に係るシールドの略示正面図である。
【図２】フレームの略示斜視図である。
【図３】フレームの略示正面図である。
【図４】フレームの略示平面図である。
【図５】フレームの略示右側面図である。
【図６】図４のＶＩ−ＶＩ線を切断線とした略示断面図である。
【図７】図６のＶＩＩ−ＶＩＩ線を切断線とした略示部分拡大断面図である。
【図８】顔面保護具の略示斜視図である。
【図９】実施の形態２に係るシールドの略示正面図である。
【図１０】顔面防護具の略示斜視図である。
【考案を実施するための形態】
【００１０】
（実施の形態１）
以下、本考案を実施の形態１に係るシールド１、フレーム１０及び顔面保護具を示す図面に基づいて説明する。以下の説明では図に示す上下前後左右を使用する。なお左右方向は第１方向に対応し、前後方向は第２方向に対応し、上下方向は第３方向に対応する。図１は、シールド１の略示正面図である。シールド１は、四角形状をなすシールド板２を備える。シールド板２は、透明且つ柔軟な素材によって構成され、容易に曲げることができる。シールド板２は、ユーザの顔面を充分に覆うことができる上下寸法及び左右寸法を備える。
【００１１】
シールド板２の右縁２ａ上部に、右方に突出した右突部３が形成されている。該右突部３の下縁３ａは、右縁２ａに略直角である。右突部３の下側にて、下縁３ａ及び右縁２ａによって、正面視倒立Ｌ形状の縁部７が形成されている。換言すれば、右突部３よりも下側にて、右縁２ａは下縁３ａに対して交差する方向に直線的に延び、右縁２ａには凹凸が形成されない。ここで直線的とは、厳密な直線を意味せず、概ね直線であると認識できるものであればよく、若干折れ曲がるように延びる場合も含む。
【００１２】
シールド板２の左縁２ｂ上部に、左方に突出した左突部４が形成されている。該左突部４の下縁４ａは、左縁２ｂに略直角である。即ち、左突部４の下側にて、下縁４ａ及び左縁２ｂによって、倒立Ｌ形状の縁部７に対して略左右対称な形状を有する縁部８が形成されている。換言すれば、左突部４よりも下側にて、左縁２ｂは下縁４ａに対して交差する方向に直線的に延び、左縁２ｂには凹凸が形成されない。右縁２ａ及び左縁２ｂは側縁に対応する。なお右縁２ａ及び左縁２ｂは、下縁３ａ、４ａに対して傾斜してもよい。
【００１３】
下縁３ａの左隣やや下側に、上下に延びた長方形状の長孔５が形成されている。長孔５の上端部の上下位置は、下縁３ａと略同じである。下縁４ａの右隣やや下側に、上下に延びた長方形状の長孔６が形成されている。長孔６の上端部の上下位置は、下縁４ａと略同じである。なお長孔５、６は楕円形状であってもよい。
【００１４】
図２は、フレーム１０の略示斜視図、図３は、フレーム１０の略示正面図、図４は、フレーム１０の略示平面図、図５は、フレーム１０の略示右側面図である。フレーム１０は、前フレーム部１１、右フレーム部１３及び左フレーム部１５を備える。前フレーム部１１は第１フレーム部に対応する。右フレーム部１３及び左フレーム部１５は第２フレーム部に対応する。
【００１５】
前フレーム部１１は左右に延び、前フレーム部１１の左右両端部は後方に向けて曲がる。前フレーム部１１の右端部１１ａに右クリップ部１２が設けられている。右クリップ部１２は板状をなし、その一面が前記右端部１１ａの右側面に対向する。右クリップ部１２の後端部は前記右側面に連結し、右クリップ部１２は、前側が自由端の片持ち梁状に構成されている。右クリップ部１２と前記右側面との間には隙間１７が形成される。右クリップ部１２は、左右方向に弾性変形することができる。即ち、前記右側面に接近するか又は離れる方向に弾性変形することができる。
【００１６】
図４に示すように、右クリップ部１２の前端部左側面には、左方に突出した爪１２ａが形成されている。爪１２ａの前面は、前方に向かうに従って、より右側に位置するように、傾斜する。換言すれば、前後方向にて、前フレーム部１１に近づくに従って、右フレーム部１３から離れるように傾斜する。
【００１７】
前記右端部１１ａ後端に、右フレーム部１３が連結する。詳細は後述するが、右フレーム部１３の前端部に上下方向に延びる軸１３ｂが形成され、該軸１３ｂが前記右端部１１ａに回転可能に連結する。
【００１８】
前フレーム部１１の左端部１１ｂに左クリップ部１４が設けられている。左クリップ部１４は板状をなし、その一面が前記左端部１１ｂの左側面に対向する。左クリップ部１４の後端部は前記左側面に連結し、左クリップ部１４は、前側が自由端の片持ち梁状に構成されている。左クリップ部１４と前記左側面との間には隙間１８が形成される。左クリップ部１４は、左右方向に弾性変形することができる。即ち、前記左側面に接近するか又は離れる方向に弾性変形することができる。前フレーム部１１、右クリップ部１２及び左クリップ部１４は、一体成形されている。
【００１９】
図４に示すように、左クリップ部１４の前端部右側面には、右方に突出した爪１４ａが形成されている。爪１４ａの前面は、前方に向かうに従って、より左側に位置するように、傾斜する。換言すれば、前後方向にて、前フレーム部１１に近づくに従って、左フレーム部１５から離れるように傾斜する。
【００２０】
前記左端部１１ｂ後端に、左フレーム部１５が連結する。後述するように、左フレーム部１５の前端部に上下方向に延びる軸が形成され、該軸が前記左端部１１ｂに回転可能に連結する。
【００２１】
前フレーム部１１の左右方向中央部分に、二つのパッド部１６が左右にそれぞれ設けられている。パッド部１６は下方に突出する。
【００２２】
図６は、図４のＶＩ−ＶＩ線を切断線とした略示断面図、図７は、図６のＶＩＩ−ＶＩＩ線を切断線とした略示部分拡大断面図である。図６に示すように、前フレームの右端部１１ａには、前方に向けて窪んだ凹部１１ｃが形成されている。凹部１１ｃの右部及び後部は開口しており、前述の爪１２ａは凹部１１ｃの右側に配置され、右端部１１ａに干渉しない。なお凹部１１ｃの左部が開口していてもよい。図７に示すように、凹部１１ｃの上側及び下側それぞれに、上下方向を軸方向とした軸孔１１ｄが形成されている。なお、軸孔１１ｄは上下に貫通していてもよいし、貫通していなくてもよい。
【００２３】
図６に示すように、右フレーム部１３の前端部には、前方に突出した二つの軸支部１３ａ、１３ａが設けてある。二つの軸支部１３ａ、１３ａは上下に並ぶ。図７に示すように、上側の軸支部１３ａには、上方に突出した軸１３ｂが設けてあり、下側の軸支部１３ａには、下方に突出した軸１３ｂが設けてある。上側の軸１３ｂは、凹部１１ｃの上側の軸孔１１ｄに回転可能に挿入され、下側の軸１３ｂは凹部１１ｃの下側の軸孔１１ｄに回転可能に挿入される。
【００２４】
なお右端部１１ａと同様に、左端部１１ｂにも凹部及び軸孔が形成され、右フレーム部１３と同様に、左フレーム部１５にも、二つの軸支部及び二つの軸が形成されているが、右端部１１ａ及び右フレーム部１３と同様な構成であるので、その詳細な説明を省略する。
【００２５】
前フレーム部１１、右フレーム部１３及び左フレーム部１５は、それぞれ、別体として成型され、右フレーム部１３及び左フレーム部１５を前フレーム部１１に組み付けることによって、フレーム１０が組み立てられる。
【００２６】
図８は、顔面保護具の略示斜視図である。フレーム１０にシールド１を装着することによって、顔面保護具が組み立てられる。組み立ては以下のように行われる。シールド１の下縁３ａ、４ａの下側部分を、下縁３ａ、４ａに沿って、右クリップ部１２と右端部１１ａの間の隙間１７、及び左クリップ部１４と左端部１１ｂの間の隙間１８に挿入する。爪１２ａ、１４ａの前面は傾斜しているので、シールド１を隙間１７、１８に円滑に挿入することができる。爪１２ａ、１４ａは長孔５、６に挿入され、長孔５、６の縁に係止する。
【００２７】
なお爪１２ａを複数形成し、前後に並べてもよく、また爪１４ａを複数形成し、前後に並べてもよい。複数形成することよって、長孔５、６に係止されやすくなる。
【００２８】
実施の形態１にあっては、右縁２ａ及び左縁２ｂに右突部３及び左突部４をそれぞれ形成し、右突部３及び左突部４よりも下側において、右縁２ａ及び左縁２ｂは、下縁３ａ、４ａに対して交差する方向に、直線的に延びる。即ち、右突部３及び左突部４のよりも下側において、右縁２ａ及び左縁２ｂには凹凸が形成されない。そのため、下縁３ａ、４ａに沿ってシールド１をフレーム１０のクリップ部分に容易に挿入させることができる。
【００２９】
またフレーム１０に装着されたシールド１に、左右軸回りの外力が作用しても、爪１２ａ、１４ａは長孔５、６の縁に接触するので、丸孔に比べて、シールド１は位置ずれしにくく、また外れにくい。
【００３０】
右クリップ部１２は右端部１１ａの右側面に配置され、左クリップ部１４は、左端部１１ｂの左側面に配置されている。即ち、右クリップ部１２及び左クリップ部１４は、左右方向において、前フレーム部１１の反対側（前フレーム部１１の外側）に配置されている。そのため、シールド１のフレーム１０への取り付けを円滑に行うことができる。
【００３１】
また右クリップ部１２及び左クリップ部１４は、右フレーム部１３及び左フレーム部１５に対して接近するか又は離れる方向に弾性変形することができるので、シールド１の挿入を円滑に行うことができ、またシールド１を保持することができる。
【００３２】
また右クリップ部１２及び左クリップ部１４は爪１２ａ、１４ａを備えるので、爪１２ａ、１４ａを長孔５、６に挿入して、フレーム１０にシールド１を係止させることができる。
【００３３】
また爪１２ａ、１４ａの前面が傾斜しているので、シールド１を隙間１７、１８に挿入した場合、シールド１は前記前面によって、後方に案内され、シールド１をフレーム１０に円滑に取り付けることができる。
【００３４】
また右クリップ部１２、左クリップ部１４及び前フレーム部１１は一体成形されているので、金型による大量生産が可能である。
【００３５】
また前フレーム部１１と、右フレーム部１３と、左フレーム部１５とは別体であり、各フレーム部の構成を簡素化することができ、大量生産が可能になる。また各フレーム部を組み立てることによって、容易にフレーム１０を製造することができる。組み立てた後に分解することもできる。
【００３６】
右フレーム部１３及び左フレーム部１５は、上下方向に延びる軸を介して前フレーム部１１に接続され、軸回りに回転可能である。そのため、不使用時には、右フレーム部１３及び左フレーム部１５を内側に折り畳み、フレーム１０を小さな収納空間に収めることができる。
【００３７】
実施の形態１においては、顔面防護具をユーザが装着した場合、ユーザの顔面全体を覆うことができる。また図８に示すように、シールド１は前方に突出するように、曲がるので、ユーザの顔面とシールド１との間に隙間が形成され、蒸れにくい。
【００３８】
（実施の形態２）
以下、本考案を実施の形態２に係るシールド、フレーム１０及び顔面保護具を示す図面に基づいて説明する。実施の形態２に係る構成の内、実施の形態１と同様な構成については、同じ符号を付し、その詳細な説明を省略する。図９は、シールドの略示正面図である。
【００３９】
実施の形態２に係るシールド２０は、実施の形態１に係るシールド１と異なり、横長のシールド板２１を備える。シールド板２１は、ユーザの両目を充分に覆うことができる上下寸法及び左右寸法を備える。
【００４０】
シールド板２１の右縁２１ａ上部に、右方に突出した右突部２２が形成されている。該右突部２２の下縁２２ａは、右縁２１ａに略直角である。即ち、右突部２２の下側にて、下縁２２ａ及び右縁２１ａによって、正面視倒立Ｌ形状の縁部２７が形成されている。
【００４１】
シールド板２１の左縁２１ｂ上部に、左方に突出した左突部２３が形成されている。該左突部２３の下縁２３ａは、左縁２１ｂに略直角である。即ち、左突部２３の下側にて、下縁２３ａ及び左縁２１ｂによって、正面視倒立Ｌ形状の縁部２７に対して略左右対称な形状を有する縁部２８が形成されている。
【００４２】
下縁２２ａの左隣やや下側に、上下に延びた楕円形状の長孔２４が形成されている。長孔２４の上端部の上下位置は、下縁２２ａと略同じである。下縁２３ａの右隣やや下側に、上下に延びた楕円形状の長孔２５が形成されている。長孔２５の上端部の上下位置は、下縁２３ａと略同じである。なお長孔２４、２５は長方形状であってもよい。シールド板２１の下縁部の左右方向中央部分には、上方に向けて窪んだ凹部２６が形成されている。
【００４３】
図１０は、顔面防護具の略示斜視図である。フレーム１０にシールド２０を装着することによって、顔面保護具が組み立てられる。組み立ては以下のように行われる。シールド２０の下縁２２ａ、２３ａの下側部分を、下縁２２ａ、２３ａに沿って、右クリップ部１２と右端部１１ａの間の隙間１７、及び左クリップ部１４と左端部１１ｂの間の隙間１８に挿入する。爪１２ａ、１４ａの前面は傾斜しているので、シールド２０を隙間１７、１８に円滑に挿入することができる。爪１２ａ、１４ａは長孔２４、２５に挿入され、長孔２４、２５の縁に係止する。
【００４４】
実施の形態２にあっては、実施の形態１と同様な作用効果を奏する。また顔面防護具をユーザが装着した場合、ユーザの両目を覆うことが出来る。また図１０に示すように、シールド２０は前方に突出するように、曲がるので、ユーザの顔面とシールド２０との間に隙間が形成され、蒸れにくい。
【００４５】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び実用新案登録請求の範囲と均等の範囲が含まれることが意図される。
【符号の説明】
【００４６】
１、２０  シールド
２、２１  シールド板
２ａ、２１ａ  右縁（側縁）
２ｂ、２１ｂ  左縁（側縁）
３、２２  右突部
３ａ、２２ａ  下縁
４、２３  左突部
４ａ、２３ａ  下縁
５、６、２４、２５  長孔
１０  フレーム
１１  前フレーム部（第１フレーム部）
１２  右クリップ部
１３  右フレーム部（第２フレーム部）
１４  左クリップ部
１５  左フレーム部（第２フレーム部）
１２ａ、１４ａ  爪
【図１】
0003231303.tif 000003
【図２】
0003231303.tif 000004
【図３】
0003231303.tif 000005
【図４】
0003231303.tif 000006
【図５】
0003231303.tif 000007
【図６】
0003231303.tif 000008
【図７】
0003231303.tif 000009
【図８】
0003231303.tif 000010
【図９】
0003231303.tif 000011
【図１０】
0003231303.tif 000012
【手続補正書】
【提出日】令和3年1月12日(2021.1.12)
【手続補正１】
【補正対象書類名】明細書
【補正対象項目名】０００６
【補正方法】変更
【補正の内容】
【０００６】
本開示の一実施例に係るフレームは、顔の前側に配置されるシールドが脱着されるフレームであって、第１方向に延びる第１フレーム部と、該第１フレーム部の端部に連結し、前記第１方向に交差する第２方向に延びる第２フレーム部と、前記第１方向にて、前記第２フレーム部における前記第１フレーム部の反対側に設けられ、シールドを保持するクリップ部とを備える。
【手続補正２】
【補正対象書類名】実用新案登録請求の範囲
【補正対象項目名】請求項１
【補正方法】変更
【補正の内容】
【請求項１】
顔の前側に配置されるシールドが脱着されるフレームであって、
第１方向に延びる第１フレーム部と、
該第１フレーム部の端部に連結し、前記第１方向に交差する第２方向に延びる第２フレーム部と、
前記第１方向にて、前記第２フレーム部における前記第１フレーム部の反対側に設けられ、シールドを保持するクリップ部と
を備えるフレーム。